(57)【特許請求の範囲】
【請求項１】
電柱の付設物に対して着脱自在に取り付けられる第１の機構と、
前記第１の機構が前記付設物に取り付けられた状態において、前記第１の機構の略鉛直下方に延在する支持棒と、
前記第１の機構側である前記支持棒の長手方向に閉じる第１の状態、又は、前記支持棒との間の角度が所定の鋭角となるように前記支持棒を中心として放射状に開く第２の状態、の何れかの状態となる複数の主骨と、
前記複数の主骨を前記第１の状態と前記第２の状態とに設定する第２の機構と、
前記複数の主骨のうち隣り合う主骨どうしの間にそれぞれ付設され、前記第２の状態において、前記付設物上の営巣からの落下物を取得するシートと、
一端が前記複数の主骨の略中間部分と連結され、他端が前記支持棒に支持される複数の補助骨と、
を備え、
前記第２の機構は、前記複数の主骨の一端と連結され、前記複数の主骨が弾性部材の付勢に基づいて前記第１の状態と前記第２の状態になるように、前記支持棒の長手方向に移動する轆轤機構、を含む
ことを特徴とする営巣落下物取得装置。
【請求項２】
前記付設物は、前記電柱から略水平方向に延在する腕金であり、
前記第１の機構は、前記腕金を挟持する挟持機構を含む
ことを特徴とする請求項１に記載の営巣落下物取得装置。
【発明の詳細な説明】
【技術分野】
【０００１】
本発明は、営巣落下物取得装置に関する。
【背景技術】
【０００２】
例えば電柱の腕金等の上の営巣は、短絡や地絡等の電線事故の原因となる虞がある。そこで、このような営巣は、例えば作業員が間接活線工具であるホットスティック等で突いて除去するようになっている。
【０００３】
営巣を除去する作業の過程で、同営巣からの落下物（営巣自体を含む）は、できるだけ電柱の上部で回収する必要がある。そこで、このような作業に際し、電線に落下防止用のネットを張る技術（例えば特許文献１参照）や、電柱の上部に落下物取得用の容器を取り付ける技術（例えば特許文献２参照）等が開示されている。
【先行技術文献】
【特許文献】
【０００４】
【特許文献１】特開２００８−２６１１２３号公報
【特許文献２】特開２００９−１１８５６０号公報
【発明の概要】
【発明が解決しようとする課題】
【０００５】
しかしながら、前述した特許文献１に開示された技術では、例えば間接活線工具等を複数本用意し、これらを介して電線にネットを張る必要がある。また、前述した特許文献２に開示された技術では、例えば合成樹脂からなる直方体形状の容器を電柱の上部まで運び、これを複数のクランプを介して同電柱の上部に固定する必要がある。つまり、双方とも装置が大掛かりであるため、電柱への設置及び運搬が煩雑になるという問題がある。
【０００６】
本発明はかかる課題に鑑みてなされたものであり、その目的とするところは、営巣落下物を確実に取得でき且つ電柱への設置及び運搬が容易な営巣落下物取得装置を提供することにある。
【課題を解決するための手段】
【０００７】
前記課題を解決するための発明は、電柱の付設物に対して着脱自在に取り付けられる第１の機構と、前記第１の機構が前記付設物に取り付けられた状態において、前記第１の機構の略鉛直下方に延在する支持棒と、前記第１の機構側である前記支持棒の長手方向に閉じる第１の状態、又は、前記支持棒との間の角度が所定の鋭角となるように前記支持棒を中心として放射状に開く第２の状態、の何れかの状態となる複数の主骨と、前記複数の主骨を前記第１の状態と前記第２の状態とに設定する第２の機構と、前記複数の主骨のうち隣り合う主骨どうしの間にそれぞれ付設され、前記第２の状態において、前記付設物上の営巣からの落下物を取得するシートと、一端が前記複数の主骨の略中間部分と連結され、他端が前記支持棒に支持される複数の補助骨と、を備え、前記第２の機構は、前記複数の主骨の一端と連結され、前記複数の主骨が弾性部材の付勢に基づいて前記第１の状態と前記第２の状態になるように、前記支持棒の長手方向に移動する轆轤機構、を含む営巣落下物取得装置である。
【発明の効果】
【０００８】
本発明によれば、営巣落下物を確実に取得でき且つ電柱への設置及び運搬が容易な営巣落下物取得装置を提供できる。
【図面の簡単な説明】
【０００９】
【図１】第１の実施の形態の営巣落下物取得装置の構成例を示す部分断面図である。
【図２】轆轤機構（第一形態）の構成例を示す部分斜視図である。
【図３】営巣落下物取得装置の使用例を説明するための斜視図である。
【図４】（ａ）は、主骨が閉状態の場合の轆轤機構（第二形態）の状態例を示す部分側面図であり、（ｂ）は、主骨が閉状態から開状態になるときの轆轤機構（第二形態）の状態例を示す部分側面図である。
【図５】轆轤機構（第三形態）の構成例を示す部分斜視図である。
【図６】第２の実施の形態の営巣落下物取得装置の構成例を示す側面図である。
【発明を実施するための形態】
【００１０】
===第１の実施の形態===
図１及び図２を参照しつつ、第１の実施の形態の営巣落下物取得装置１の構成例について説明する。図１は、第１の実施の形態の営巣落下物取得装置１の構成例を示す部分断面図であり、図２は、轆轤機構（第一形態）の構成例を示す部分斜視図である。
【００１１】
尚、営巣落下物取得装置１は、高圧電線の電柱に営巣された鳥の巣を除去する際に、巣及びその一部が地面に落下することを防止するために使用される。また、以後、営巣落下物取得装置１の構成について述べる際、同装置１は、その長手方向（Ｚ軸方向）が鉛直方向と一致し且つ鉛直方向において後述する係止鉤２０が上側となるように保持されているものとする。
【００１２】
図１に例示されるように、営巣落下物取得装置１は、支持棒１０と、係止鉤２０及び固定用突片２１（以上、第１の機構）と、複数の主骨３１と、これら複数の主骨３１に付設されるシート３０と、このシート３０を開閉するための補助骨３５及び摺動リング３７（以上、第２の機構）とを備えて構成されている。
【００１３】
支持棒１０は、例えばＦＲＰ（Fiber Reinforced Plastics）等の絶縁素材からなる円筒形状をなす部材である。尚、後述するように、支持棒１０の下側（Ｚ軸方向の−側）には、Ｚ軸方向に沿って延長棒３８及び摺動リング３７の接合部と把持片３９とが遊嵌される長孔１１（図２参照）が形成されている。
【００１４】
係止鉤２０は、例えば間接活線工具であるトング型のホットスティックの先端工具と同様の構成を備えた金属製のフックである。この係止鉤２０は、電柱の例えば腕金（付設物、図３の電柱２の腕金３参照）等に係止されて、同腕金から営巣落下物取得装置１を略鉛直方向に保持するためのものである。固定用突片２１は、支持棒１０の下側の所定のハンドル（不図示）と同支持棒１０の中空内で連結されており、同ハンドルの操作を通じてＺ軸方向に変位可能となっている。これら係止鉤２０及び固定用突片２１は、腕金に対し着脱可能に取り付けられる挟持機構を構成している。例えば、係止鉤２０を腕金に掛けた状態で固定用突片２１を上側（Ｚ軸方向の＋側）に変位させることによって、挟持機構は腕金を挟持した状態で固定される。一方、固定用突片２１を下側に変位させることによって、腕金は挟持機構の挟持から開放される。但し、このような構成に限定されるものではなく、例えば挟持機構は係止鉤２０のみから構成されるものであってもよい。
【００１５】
主骨３１は、その一端が、支持棒１０に嵌合固定された固定リング３４の側面に枢着され、その略中間部分が、補助骨３５の一端に枢着される例えば金属製の複数の棒である。固定リング３４から放射状に延在する複数の主骨３１のうち隣り合う主骨３１どうしの間にはシート３０が付設されており、これら複数の主骨３１は、図１に例示される点線で示した「主骨３１の閉状態（第１の状態）」と、図１に例示される実線で示した「主骨３１の開状態（第２の状態）」との間を、固定リング３４を中心として回動可能となっている。ここで、「主骨３１の閉状態」は、各主骨３１が支持棒１０のＺ軸方向の上側に閉じる状態であり、図１の例示では、各主骨３１と支持棒１０との角度は０度より僅かに大きい角度である。また、「主骨３１の開状態」は、各主骨３１と支持棒１０との角度が所定の鋭角となる状態であり、図１の例示では、この鋭角は９０度よりも僅かに小さい角度である。尚、前述した固定リング３４は、支持棒１０のＺ軸方向における所定位置に嵌合固定される例えば絶縁性のリングであり、その側面には主骨３１の前述した一端が枢着される例えば樹脂製の軸支部３３を備えている。
【００１６】
シート３０は、シート状をなす例えば合成繊維（例えばナイロン）や天然繊維（例えば綿）等の絶縁素材であり、落下する鳥の巣を受けるためのものである。このシート３０は、例えば略三角形状をなす複数のシート片からなり、これら複数のシート片が複数の主骨３１のうち隣り合う主骨３１どうしの間にそれぞれ付設されている。或いは、このシート３０は、略円形状をなす一枚のシートであって、その中央の円形状の孔（不図示）に支持棒１０が挿通されて、同支持棒１０から放射状に延在する複数の主骨３１に付設されていてもよい。尚、シート３０は、具体的には、例えば、主骨３１に対しこれが開いた状態で張設されて（つまり、隣り合う主骨３１どうしの間に張力が生じる程度に張られて）いるものとする。一方、この主骨３１が閉じた状態では、シート３０には弛みが生じるため、この弛みの部分を例えば折り畳む等ができるようになっているものとする。
【００１７】
補助骨３５は、その前述した一端が、主骨３１の略中間部分に枢着され、その他端が、支持棒１０をＺ軸方向に摺動可能に嵌合された摺動リング３７の側面に枢着される例えば金属製の複数の棒である。これら複数の補助骨３５は、図１に例示される点線で示した「主骨３１の閉状態（第１の状態）」と、図１に例示される実線で示した「主骨３１の開状態（第２の状態）」との間を、Ｚ軸方向に摺動する摺動リング３７を中心として回動可能となっている。尚、主骨３１と補助骨３５とは例えば金属製の軸支部３２を介して相互に枢着されている。
【００１８】
摺動リング３７は、支持棒１０に対しＺ軸方向に摺動可能に嵌合される例えば金属製のリングであり、その側面には補助骨３５の前述した他端が枢着される例えば金属製の軸支部３６を備えている。
【００１９】
<<<轆轤機構の第一形態>>>
前述した摺動リング３７は、以下述べる、延長棒３８、バネ４０、及び長孔１１とともに、主骨３１の開閉状態を設定する轆轤機構を構成している。
【００２０】
図２に例示されるように、延長棒３８は、一端が摺動リング３７の内側に接続されたコの字形状をなす例えば金属製の棒である。具体的には、延長棒３８は、Ｚ軸方向に延在する棒の両端の微小部分がＹ軸方向の例えば＋側に略直角に屈曲している。ここで、棒の上側の屈曲部分は摺動リング３７の内側に接続されている一方、棒の下側の屈曲部部分は把持片３９を構成している。
【００２１】
図２に例示されるように、バネ４０は、支持棒１０に対しＺ軸方向に摺動可能に嵌合された摺動リング３７を下側に付勢する例えば金属製の弾性部材である。具体的には、バネ４０は、その一端が延長棒３８の上側に接続されるとともに、その他端が支持棒１０の底部に接続されている。
【００２２】
図２に例示されるように、長孔１１は、延長棒３８における摺動リング３７との接続部分と、把持片３９とが、支持棒１０の下側でＺ軸方向に移動可能に遊嵌されるべく同支持棒１０に形成されている。
【００２３】
前述したバネ４０は、摺動リング３７に接続された延長棒３８の把持片３９が長孔１１の下端１３に当接している状態であっても、摺動リング３７を下側に付勢するようになっているものとする。つまり、バネ４０は、常時、平衡状態から引き伸ばされた状態にある。この把持片３９が長孔１１の下端１３に当接している状態では主骨３１は開状態であるが、バネ４０の付勢によってこの開状態が固定される。
【００２４】
一方、作業者が、把持片３９を把持して、バネ４０の付勢に抗しつつ延長棒３８を上側に変位させ、長孔１１の脇に設けられたロック用切欠１２に対し同把持片３９を嵌合させてロックすることによって、主骨３１は閉状態となり、バネ４０の付勢によってこの閉状態が固定される。
【００２５】
尚、以上は、長孔１１の下端１３と、ロック用切欠１２との間の距離ｈ（図２）が、主骨３１の開状態での摺動リング３７の位置と、主骨３１の閉状態での摺動リング３７の位置との間の距離ｈ（図１）に等しいことに基づいている。
【００２６】
図３を参照しつつ、前述した構成を備えた営巣落下物取得装置１の使用例について説明する。同図は、営巣落下物取得装置１の使用例を説明するための斜視図である。
【００２７】
図３に例示されるように、高圧電線４の電柱２に営巣された鳥の巣Ｎを除去する際、作業者は、例えば、（１）一方の手で営巣落下物取得装置１の支持棒１０を把持しつつ、他方の手で把持片３９をロック用切欠１２によるロックから解除し長孔１１の下端１３に当接させることによって、主骨３１を開状態とし、（２）支持棒１０を把持しつつ、同支持棒１０の長手方向が略鉛直方向となり且つ同支持棒１０が営巣の真下に位置するべく係止鉤２０を腕金３に係止させる。これにより、作業者がホットスティックＳで巣Ｎを突いたときに落下する巣Ｎ自体又はその一部は、地面に落下することなく、シート３０によって取得される。
【００２８】
一方、図示してはいないが、営巣落下物取得装置１を運搬したり或いは所定の場所に保管したりする場合、作業者が把持片３９を把持してロック用切欠１２でロックすることによって、主骨３１の閉状態が設定される。
【００２９】
以上述べた轆轤機構は、軸支部３６を有する摺動リング３７と、延長棒３８と、バネ４０と、支持棒１０に形成されたロック用切欠１２を有する長孔１１とを備えて構成されていたが、これに限定されるものではない。
【００３０】
<<<轆轤機構の第二形態>>>
図４に例示されるように、轆轤機構は、摺動リング３７’と、摺動リング３７’をＺ軸方向の下側に付勢する所定の弾性部材（不図示）と、ストッパ１４’と、釦１５’と、釦１５’の操作によりストッパ１４’を支持棒１０’の外面に関して突出又は退避させるための所定の連動手段（不図示）とを備えて構成されていてもよい。尚、図４において、（ａ）は、主骨３１が閉状態の場合の第二形態の轆轤機構の状態例を示す部分側面図であり、（ｂ）は、主骨３１が閉状態から開状態になるときの第二形態の轆轤機構の状態例を示す部分側面図である。
【００３１】
尚、営巣落下物取得装置１’における図４に例示される轆轤機構以外の構成は、図１に例示される構成と等しいものとする。
【００３２】
図４（ａ）に例示されるように、主骨３１が閉状態の場合、Ｚ軸方向の下側に弾性付勢されている摺動リング３７’は、別の所定の弾性部材（不図示）により付勢されて支持棒１０’の外面の外側（Ｙ軸方向の＋側）に突出しているストッパ１４’によってロックされている。尚、この場合、釦１５’も更に別の弾性部材（不図示）によってＹ軸方向の＋側に弾性付勢されている。
【００３３】
図４（ｂ）に例示されるように、主骨３１を閉状態から開状態とする場合、作業者が釦１５’を押下すると、前述した所定の連動手段によってストッパ１４’が支持棒１０’の外面の内側（Ｙ軸方向の−側）に退避するようになっており、このとき、Ｚ軸方向の下側に弾性付勢されている摺動リング３７’は、下側に変位する。
【００３４】
<<<轆轤機構の第三形態>>>
図５に例示されるように、轆轤機構は、Ｚ軸周りに回転するとＺ軸方向に進む雌ネジ３７ａ”が形成された摺動リング３７’と、摺動リング３７”の雌ネジ３７ａ”と噛合可能な雄ネジ１６ａ”が形成された回転棒１６”と、雌ネジ３７ａ”及び雄ネジ１６ａ”の噛合部分がＺ軸方向に移動可能に遊嵌される長孔１１”とを備えて構成されていてもよい。この回転棒１６”は、支持棒１０”の中空内で、Ｚ軸方向は所定位置に固定され且つＺ軸周りは回転自在となるように保持されている。また、この回転棒１６”の下側には把持用リング１６ｂ”が設けられている。
【００３５】
尚、営巣落下物取得装置１”における図５に例示される轆轤機構以外の構成は、図１に例示される構成と等しいものとする。
【００３６】
作業者が把持用リング１６ｂ”を把持してこれをＺ軸周りに回転させると、同様に回転する回転棒１６”の雄ネジ１６ａ”と噛合する雌ネジ３７ａ”を介して、摺動リング３７”が支持棒１０”に対しＺ軸方向に上下に変位するようになっている。作業者は、把持用リング１６ｂ”を回転させて、支持棒１０”に対する摺動リング３７”のＺ軸方向の位置を調節することによって、主骨３１の開閉を設定できる。
【００３７】
===第２の実施の形態===
図６を参照しつつ、第２の実施の形態の営巣落下物取得装置１００の構成例について説明する。同図は、第２の実施の形態の営巣落下物取得装置１００の構成例を示す側面図である。尚、同側面図では、図示の便宜上、紙面の表裏側に存在する主骨１３１やシート１３０等の記載は省略されている。
【００３８】
図６に例示されるように、営巣落下物取得装置１００は、支持棒１１０と、係止鉤１２０及び固定用突片１２１（以上、第１の機構）と、複数の主骨１３１と、これら複数の主骨１３１に付設されるシート１３０と、複数の補助骨１３５と、シート１３０を開閉するための摺動リング１３４（第２の機構）とを備えて構成されている。
【００３９】
支持棒１１０は、前述した第１の実施の形態の支持棒１０と同様の構成を備えている。
【００４０】
係止鉤１２０及び固定用突片１２１は、前述した第１の実施の形態の係止鉤２０及び固定用突片２１と同様の構成を備えている。
【００４１】
主骨１３１は、その一端が、支持棒１１０をＺ軸方向に摺動可能に嵌合された摺動リング１３４の側面に枢着され、その略中間部分が、補助骨１３５の一端に枢着される例えば金属製の複数の棒である。摺動リング１３４から放射状に延在する複数の主骨１３１のうち隣り合う主骨１３１どうしの間にはシート１３０が付設されており、これら複数の主骨１３１は、図６に例示される点線で示した「シート１３０の閉状態（第１の状態）」と、図６に例示される実線で示した「シート１３０の開状態（第２の状態）」との間を、Ｚ軸方向に摺動する摺動リング１３４を中心として回動可能となっている。
【００４２】
シート１３０は、前述した第１の実施の形態のシート３０と同様の構成を備えている。
【００４３】
補助骨１３５は、その前述した一端が、主骨１３１の略中間部分に枢着され、その他端が、支持棒１１０に嵌合固定された固定リング１３７の側面に枢着される例えば金属製の複数の棒である。これら複数の補助骨１３５は、図６に例示される点線で示した「主骨１３０の閉状態（第１の状態）」と、図６に例示される実線で示した「主骨１３１の開状態（第２の状態）」との間を、固定リング１３７を中心として回動可能となっている。尚、主骨１３１と補助骨１３５とは例えば金属製の軸支部１３２を介して相互に枢着されている。また、固定リング１３７は例えば金属製のリングであり、その側面には補助骨１３５の前述した他端が枢着される例えば金属製の軸支部１３６を備えている。
【００４４】
摺動リング１３４は、支持棒１１０に対しＺ軸方向に摺動可能に嵌合される例えば絶縁性のリングであり、その側面には主骨１３１の前述した一端が枢着される例えば樹脂製の軸支部１３３を備えている。
【００４５】
第２の実施の形態の摺動リング１３４は、前述した第１の実施の形態における摺動リング３７、３７’、３７”と対応している。よって、第２の実施の形態の営巣落下物取得装置１００は、これらの摺動リング３７、３７’、３７”をそれぞれ含む第一形態乃至第三形態の轆轤機構（図２、図４、及び図５）と同様の構成を有する轆轤機構を備えることによって、主骨１３１の開閉状態を設定できる。
【００４６】
以上述べたように、営巣落下物取得装置１、１’、１”、１００によれば、高圧電線４の電柱２に営巣された鳥の巣Ｎを除去する際に、作業者がホットスティックＳで巣Ｎを突いたときに落下する巣Ｎ自体又はその一部が、地面に落下することなく、主骨３１、１３１を開状態とすることによって開いたシート３０、１３０によって取得される。このようにシート３０、１３０が開いた状態であっても、作業者は、支持棒１０、１０’、１０”、１１０を把持しつつ営巣落下物取得装置１、１’、１”、１００を容易に電柱２の付設物に設置できる。一方、この営巣落下物取得装置１、１’、１”、１００を運搬したり或いは所定の場所に保管したりする場合、作業者は主骨３１、１３１を閉状態とすることによってシート３０、１３１を閉じて、運搬や保管等の利便性を高めることができる。以上から、営巣落下物を確実に取得でき且つ電柱２への設置及び運搬が容易な営巣落下物取得装置１、１’、１”、１００が提供される。
【００４７】
また、かかる営巣落下物取得装置１、１’、１”において、複数の補助骨３５と、図２、図４、及び図５に例示される轆轤機構とによって、複数の主骨３１の開閉状態の設定を円滑に行なうことができる。
【００４８】
また、かかる営巣落下物所得装置１１０において、図６に例示される摺動リング１３４を含む轆轤機構によって、複数の主骨１３１の開閉状態の設定を円滑に行なうことができる。
【００４９】
また、かかる営巣落下物取得装置１、１’、１”、１１０において、電柱２の腕金３を挟持鉤２０、１２０及び固定用突片２１、１２１からなる挟持機構によって挟持することによって、同営巣落下物取得装置１、１’、１”、１００は、落下物を取得するために好適な姿勢をとりつつ容易に設置可能となる。
【００５０】
===その他の実施の形態===
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【００５１】
前述した実施の形態では、電柱２の付設物を腕金３としてが、これに限定されるものではない。例えば、付設物は、電柱２の上部から略水平方向に突出し、それ自体に営巣が形成され易い部材等又は営巣が形成され易い場所に近接する部材等であってもよい。
【００５２】
前述した実施の形態では、主骨３１、１３１の閉状態（第１の状態）では、主骨３１、１３１と支持棒１０、１１０との角度は０度より僅かに大きい角度であり、主骨３１、１３１の開状態（第２の状態）では、主骨３１と支持棒１０との角度は９０度よりも僅かに小さい角度であった。但し、これに限定されるものではなく、要するに、第１の状態における角度は、営巣落下物取得装置１、１’、１”、１３１の設置及び運搬が容易な程度にシート３０、１３１を折り畳める角度であり、第２の状態における角度は、営巣からの落下物を確実に取得できる程度にシート３０、１３１を広げられる角度（鋭角）であればよい。
【符号の説明】
【００５３】
１、１’、１”、１００  営巣落下物取得装置
２  電柱
３  腕金
４  高圧電線
１０、１０’、１０”、１００  支持棒
１１、１１”  長孔
１２  ロック用切欠
１３  下端
１４’  ストッパ
１５’  釦
１６”  回転棒
１６ａ”  雄ネジ
１６ｂ”  把持用リング
２０、１２０  挟持用鉤
２１、１２１  固定用突片
３０、１３０  シート
３１、１３１  主骨
３２、３３、３６、１３２、１３３、１３６  軸支部
３４、１３７  固定リング
３５、１３５  補助骨
３７、３７’、３７”、１３４  摺動リング
３７ａ”  雌ネジ
３８  延長棒
３９  把持片
４０  バネ
【図１】
0005507238.tif 000002
【図２】
0005507238.tif 000003
【図３】
0005507238.tif 000004
【図４】
0005507238.tif 000005
【図５】
0005507238.tif 000006
【図６】
0005507238.tif 000007